(57)【要約】【課題】  従来に比べて手間が掛からない苔庭保全方法を提供する。【解決手段】  苔庭の苔を剥がして土壌面を剥き出しにし、生分解性を有さない素材で形成された、表面に凹凸があり、遮光性と通水性とを有する、苔支持層を土壌面上に形成し、前記苔庭から剥がした苔であって下面に多量の土が付着していない苔を前記苔支持層上に載置する。【選択図】なし【特許請求の範囲】
【請求項１】
苔庭の苔を剥がして土壌面を剥き出しにし、生分解性を有さない素材で形成された、表面に凹凸があり、遮光性と通水性とを有する、苔支持層を土壌面上に形成し、前記苔庭から剥がした苔であって下面に多量の土が付着していない苔を前記苔支持層上に載置することを特徴とする苔庭の保全方法。
【請求項２】
前記苔支持層の形成は、合繊樹脂繊維、ロックウール、ガラスウール、炭素繊維の織布マット、不織布マット、多孔質の合成樹脂シート、多孔質の石板、多孔質のセラミック板の敷設、石片の積層敷設によって行うことを特徴とする請求項１に記載の苔庭の保全方法。
【発明の詳細な説明】
【技術分野】
【０００１】
本発明は苔庭を雑草の浸食から保全する苔庭保全方法に関するものである。
【背景技術】
【０００２】
苔庭は日本古来の美観のひとつである。苔庭の美観を維持するために、雑草を除去して苔庭を雑草の浸食から保全する必要がある。従来の苔庭保全方法は、雑草の苔より上部のみを刈り取る、雑草を引き抜く、除草剤を散布する、などであった。春から秋にかけては雑草の生育が盛んなので、雑草の刈り取りや除草を頻繁に繰り返す必要がある。従って、従来の苔庭保全方法には、手間が掛かるという問題があった。
特許文献１等に開示されているような苔が植栽されたマットは、新規の苔庭造作には好適であるが、既存の苔庭に適用した場合、苔庭の改造になってしまい苔庭の保全にはならない。
【先行技術文献】
【特許文献】
【０００３】
【特許文献１】特開２００５−１６０３１５
【発明の概要】
【発明が解決しようとする課題】
【０００４】
本発明は、従来に比べて手間が掛からない苔庭保全方法を提供することを目的とする。
【課題を解決するための手段】
【０００５】
上記課題を解決するために、本発明においては、苔庭の苔を剥がして土壌面を剥き出しにし、生分解性を有さない素材で形成された、表面に凹凸があり、遮光性と通水性とを有する、苔支持層を土壌面上に形成し、前記苔庭から剥がした苔であって下面に多量の土が付着していない苔を前記苔支持層上に載置することを特徴とする苔庭の保全方法を提供する。
苔支持層は、表面に凹凸があるので、苔支持層上に載置された苔は、仮根を苔支持層の凹凸に絡ませて苔支持層上に定着する。
苔の仮根には水分や養分を吸収する機能は無く、苔は必要な水分や養分を葉から吸収するので、苔支持層と苔との間に土がなくても苔は生育できる。苔支持層は通水性なので、雨が降っても苔は長時間に亙って水没せず、苔の生育は妨げられない。通水性の苔支持層は当然通気性も有するので、地中の水分は水蒸気となって苔支持層を通過し、苔支持層上の苔に供給される。この結果、好適な苔生育環境が形成される。
雑草は根から水分と養分を吸収する。苔支持層上に載置した苔中に残った雑草や苔上に落ちた雑草の種は、苔と苔支持層との間に十分な土が無いので生育できず、また苔支持層に遮られて苔支持層下の土壌まで根を延ばせないので生育できない。苔を剥がした後の土壌中に残った雑草や雑草の種は、土壌面上に形成された遮光性の苔支持層によって日光が遮られると共に、苔支持層に遮られて芽を上方へ延ばせないので、生育できない。
苔支持層は生分解性を有さない素材で作られているので、長期間に亙って原形を維持し、苔の生育を補助すると共に雑草の繁茂を阻止する。
この結果、苔庭が雑草の浸食から保全される。苔と苔下の土壌との間に苔支持層を形成してしまえば、放置しても雑草は生えないので、繰り返しの作業を要した従来の苔庭保全方法に比べて、苔庭の保全に手間が掛からない。
【０００６】
本発明の好ましい態様においては、前記苔支持層の形成は、合繊樹脂繊維、ロックウール、ガラスウール、炭素繊維の織布マット、不織布マット、多孔質の合成樹脂シート、多孔質の石板、多孔質のセラミック板の敷設、石片の積層敷設によって行う。
合繊樹脂繊維、ロックウール、ガラスウール、炭素繊維の織布マットや不織布マット、多孔質の合成樹脂シートは、適度の柔軟性があり、地面の凹凸に合わせて敷設できるので、好適である。繊維の密度とマット、シートの厚みとを適正化すれば、遮光機能と雑草の根や芽の貫通阻止機能とを奏することができる。
多孔質の石板、多孔質のセラミック板は、寸法を比較的小さくすれば、地面の凹凸に合わせて敷設できる。
石片の積層は、石片の寸法と積層の厚みとを適正化すれば、遮光機能と雑草の根や芽の貫通阻止機能とを奏することができる。
【発明の効果】
【０００７】
本発明により、従来に比べて手間が掛からない苔庭保全方法が提供される。
【発明を実施するための形態】
【０００８】
本発明の実施例に係る苔庭保全方法を説明する。
苔が生育した既存の苔庭を、以下の手順で保全する。
(1)苔を小面積に分割して剥がし、土壌面をむき出しにすると共に、剥ぎ取った苔を別の場所へ移す。
(2) 合繊樹脂繊維、ロックウール、ガラスウール、炭素繊維の織布マットや不織布マット、多孔質の合成樹脂シート、多孔質の石板、多孔質のセラミック板の敷設、石片の積層敷設等によって、生分解性を有さない素材で形成された、表面に凹凸があり、遮光性と通水性とを有する、苔支持層を土壌面上に形成する。
(3)剥がした苔の下面に付着した土を、仮根に絡まって容易に取り除けない土を除いて可能な限り取り除き、下面に多量の土が付着していない前記苔を苔支持層上に載置し、適度に押し付けて苔を苔支持層になじませる。
上記の手順によって苔庭の保全作業が完了する。
【０００９】
苔支持層は、表面に凹凸があるので、苔支持層上に載置された苔は、所定時間経過後には、仮根を苔支持層の凹凸に絡ませて苔支持層上に定着する。
剥がした苔の下面に付着した土を可能な限り取り除き、下面に多量の土が付着していない苔を苔支持層上に載置しているので、苔と苔支持層との間には雑草の生育に十分な量の土は無い。苔の仮根には水分や養分を吸収する機能は無く、苔は必要な水分や養分を葉から吸収するので、苔支持層と苔との間に土がなくても苔は生育できる。
苔支持層は通水性なので、雨が降っても苔庭に水たまりは形成されず、苔は長時間に亙って水没せず、水没による生育障害は発生しない。通水性の苔支持層は当然通気性も有するので、地中の水分は水蒸気となって苔支持層を通過し、苔支持層上の苔に供給される。この結果、好適な苔生育環境が形成される。
雑草は根から水分と養分とを吸収する。苔支持層上に載置した苔中に残った雑草や苔上に落ちた雑草の種は、苔と苔支持層との間に十分な土が無いので生育できず、苔支持層に遮られて苔支持層下の土壌まで根を延ばせないので生育できない。苔を剥がした後の土壌中に残った雑草や雑草の種は、土壌面上に載置された遮光性の苔支持層によって日光が遮られると共に、苔支持層に遮られて芽を上方へ延ばせないので、生育できない。
苔支持層は生分解性を有さない素材で作られているので、長期間に亙って原形を維持し、苔の生育を補助すると共に雑草の繁茂を阻止する。
この結果、苔庭が雑草の浸食から保全される。
苔と苔下の土壌との間に苔支持層を形成してしまえば、放置しても雑草は生えないので、本実施例に掛かる苔庭保全方法は、繰り返しの作業を要した従来の苔庭保全方法に比べて、苔庭の保全に手間が掛からない。
合繊樹脂繊維、ロックウール、ガラスウール、炭素繊維の織布マットや不織布マット、多孔質の合成樹脂シートは、適度の柔軟性があり、地面の凹凸に合わせて敷設できるので、好適である。繊維の密度とマット、シートの厚みとを適正化すれば、遮光機能と雑草の根や芽の貫通阻止機能とを奏することができる。
多孔質の石板、多孔質のセラミック板は、寸法を比較的小さくすれば、地面の凹凸に合わせて敷設できる。
石片の積層は、石片の寸法と積層の厚みとを適正化すれば、遮光機能と雑草の根や芽の貫通阻止機能とを奏することができる。
【産業上の利用可能性】
【００１０】
本発明は、苔庭保全に広く利用可能である。